(57)【要約】【課題】１枚の板材で十分に機能するうちわ及びメガホン兼用の板材を提供する。【解決手段】うちわ兼メガホン用の板材１は、中心角を成す一方の端縁３ａ及び他方の端縁３ｂ、並びに円弧状の外側端縁３ｃを有する部分円状の本体部２と、一方の端縁３ａにフラップ用罫線４を介して隣接し、本体部２の他方の側に接続可能なフラップ状の接続部５とを備える。本体部２には、その中心Ｐの側から外側端縁３ｃに向かって放射状に延びた複数本の径方向罫線６と、一方の端縁３ａから他方の端縁３ｂに至る円弧状罫線７と、円弧状罫線７よりも中心Ｐ側に形成された折返し用罫線８及びその両端部から一方の端縁３ａ及び他方の端縁３ｂに至る切込線９とが設けられている。【選択図】図１
2020018535.tif 000002
【特許請求の範囲】
【請求項１】
罫線に沿って折り曲げることが可能な材料で構成されており、
１８０°よりも小さい中心角を成す一方の端縁及び他方の端縁、並びに該中心角に対応する長さを有する円弧状の外側端縁を有する部分円状の本体部と、
前記一方の端縁にフラップ用罫線を介して隣接し、前記本体部の前記他方の側に接続可能なフラップ状の接続部とを備え、
前記本体部には、
前記部分円状の形状の中心の側から前記外側端縁に向かって放射状に延び、該本体部を複数の三角形状の領域に分割するように形成された複数本の径方向罫線と、
前記中心を中心とする円弧状の形状を有し、前記一方の端縁から前記他方の端縁に至る円弧状罫線と、
前記円弧状罫線よりも前記中心側に形成され、前記径方向罫線と交差する折返し用罫線とが設けられており、
前記フラップ用罫線は、前記円弧状罫線の端部から前記外側端縁側に延びており、又は前記円弧状罫線よりも前記外側端縁側に位置することを特徴とするうちわ兼メガホン用の板材。
【請求項２】
罫線に沿って折り曲げることが可能な複数枚の板材を備え、
各板材は、所定の中心角を成す一方の端縁及び他方の端縁、並びに該中心角に対応する長さを有する円弧状の外側端縁を有する部分円状の本体部と、
前記一方の端縁にフラップ用罫線を介して隣接し、前記本体部の前記他方の側に接続可能なフラップ状の接続部とを備え、
前記本体部には、
前記部分円状の形状の中心の側から前記外側端縁に向かって放射状に延び、該本体部を複数の三角形状の領域に分割するように形成された複数本の径方向罫線と、
前記径方向罫線と交差する折返し用罫線とが設けられており、
前記所定の中心角は、３６０°を前記板材の枚数で除した値よりも小さいことを特徴とするうちわ兼帽子用の板材。
【請求項３】
前記接続部には、該接続部の前記本体部と反対側の端縁から該本体部の方に延びた２つの第１スロットが設けられ、
前記他方の端縁と該端縁に最も近い前記径方向罫線との間の領域である接続領域には、前記第１スロットと協働して前記接続部を該接続領域に接続させるための２つの第２スロットが設けられていることを特徴とする請求項１又は２に記載の板材。
【請求項４】
前記接続部及び前記接続領域の相互に対応する各位置に、開曲線状の切込線及び該開曲線の両端を結ぶ罫線により画定される舌片が設けられていることを特徴とする請求項３に記載の板材。
【請求項５】
前記板材は段ボールで形成され、該段ボールの段の方向は、前記本体部の前記中心を通る中心線に垂直であることを特徴とする請求項１〜４のいずれか１項に記載の板材。
【発明の詳細な説明】
【技術分野】
【０００１】
本発明は、うちわ若しくはメガホンに形成でき、又はうちわ若しくは帽子に形成できるうちわ兼メガホン又はうちわ兼帽子用の板材に関する。
【背景技術】
【０００２】
従来、広げた状態でうちわとして使用することができ、また、丸めて両端部を接合することによってメガホンとして使用することができるうちわ兼メガホンが知られている（例えば、特許文献１参照）。これによれば、スポーツの応援や、祭り、縁日等において、人込みの中でも持ち易く、うちわとして使用することにより涼を取りながら、必要なときにはメガホンとして利用することができる。
【０００３】
また、特許文献２には、第１の態様に係るうちわ兼用のメガホンとして、メガホン本体の展開した場合の端部付近に挿込部を設け、その反対側に、直線切込みや係合用切抜き孔を設けたものが記載されている。
【０００４】
このうちわ兼用のメガホンでは、メガホン本体を展開した状態で、直線切込みや係合用切抜き孔が設けられた側の端部を手に持って扇ぐことにより、扇子又はうちわのように使用することができる。また、メガホン本体を丸めた状態で、展開挿込部を直線切込み又は係合用切抜き孔に挿し込んで係合させることによりメガホンとして使用することができる。
【０００５】
また、特許文献２の第２の態様に係るうちわ兼用のメガホンでは、メガホン本体に適宜の数の山折と、谷折の折り目が設けられ、折面の要部分に紐が通される。また、メガホン本体の端部折面のそれぞれに係合用の面ファスナが設けられる。
【０００６】
この場合、メガホン本体を展開したまま、要に通した紐を引き締めて、うちわや扇子のように、扇いで使用することができる。一方、メガホン本体両側の端部折面の面ファスナを係合させて組み立てることによりメガホンとして使用することができる。
【先行技術文献】
【特許文献】
【０００７】
【特許文献１】特開平７−４９６９３号公報
【特許文献２】特開平８−２２２８７号公報
【発明の概要】
【発明が解決しようとする課題】
【０００８】
しかしながら、上記特許文献１や、特許文献２の第１の態様に係るうちわ兼用のメガホンによれば、メガホンを形成できるように丸められる材料で構成されているので、うちわとして使用する場合には、形状が不安定で、適切な送風が行い難い。
【０００９】
一方、上記特許文献２の第２の態様に係るうちわ兼用のメガホンによれば、山折と谷折の折り目を設けるとともに、要に通す紐や係合用の面ファスナを要するので、構成が複雑となる。
【００１０】
本発明の目的は、かかる従来技術の課題に鑑み、１枚の板材で良好に機能するうちわ及びメガホンを形成できるうちわ兼メガホン用の板材を提供することにある。
【課題を解決するための手段】
【００１１】
本発明のうちわ兼メガホン用の板材は、
罫線に沿って折り曲げることが可能な材料で構成されており、
１８０°よりも小さい中心角を成す一方の端縁及び他方の端縁、並びに該中心角に対応する長さを有する円弧状の外側端縁を有する部分円状の本体部と、
前記一方の端縁にフラップ用罫線を介して隣接し、前記本体部の前記他方の側に接続可能なフラップ状の接続部とを備え、
前記本体部には、
前記部分円状の形状の中心の側から前記外側端縁に向かって放射状に延び、該本体部を複数の三角形状の領域に分割するように形成された複数本の径方向罫線と、
前記中心を中心とする円弧状の形状を有し、前記一方の端縁から前記他方の端縁に至る円弧状罫線と、
前記円弧状罫線よりも前記中心側に形成され、前記径方向罫線と交差する折返し用罫線とが設けられており、
前記フラップ用罫線は、前記円弧状罫線の端部から前記外側端縁側に延びており、又は前記円弧状罫線よりも前記外側端縁側に位置することを特徴とする。
【００１２】
本発明によれば、うちわ兼メガホン用の板材をうちわとして用いる場合には、本体部の折返し用罫線よりも中心側の部分を折返し用罫線に沿って折り返すことにより、折り返した部分を把持して扇ぐことができるうちわが形成される。
【００１３】
このうちわは、罫線に沿って折り曲げることが可能な材料で構成されている。すなわち、メガホンを形成できるように丸められる材料で構成する必要はない。また、折返した部分は、板材が重なって補強される。したがって、扇いだ場合に撓むことがない材料を用いて、十分に機能するうちわを形成することができる。
【００１４】
一方、うちわ兼メガホン用の板材をメガホンとして用いる場合には、円弧状罫線に沿った折り曲げ及び折返し用罫線に沿った折り曲げを行いながら、各径方向罫線に沿った折り曲げを行うことにより円錐状の形状が形成される。この折り曲げは、円弧状罫線及び折返し用罫線に沿って折り曲げられる部分が、円錐の内側に位置するように行われる。さらに、接続部を本体部の一方の側に接続させることにより、メガホンが形成される。
【００１５】
このメガホンにおいては、使用時に、円弧状罫線に沿って折り曲げられた部分が使用者の口に対峙する。このため、使用者の口が痛められることがなく、かつ良好な使用感を得ることができる。
【００１６】
本発明のうちわ兼帽子用の板材は、
罫線に沿って折り曲げることが可能な複数枚の板材を備え、
各板材は、所定の中心角を成す一方の端縁及び他方の端縁、並びに該中心角に対応する長さを有する円弧状の外側端縁を有する部分円状の本体部と、
前記一方の端縁にフラップ用罫線を介して隣接し、前記本体部の前記他方の側に接続可能なフラップ状の接続部とを備え、
前記本体部には、
前記部分円状の形状の中心の側から前記外側端縁に向かって放射状に延び、該本体部を複数の三角形状の領域に分割するように形成された複数本の径方向罫線と、
前記径方向罫線と交差する折返し用罫線とが設けられており、
前記所定の中心角は、３６０°を前記板材の枚数で除した値よりも小さいことを特徴とする。
【００１７】
本発明によれば、うちわ兼帽子用板材をうちわとして用いる場合には、いずれかの板材の本体部の折返し用罫線よりも中心側の部分を折返し用罫線に沿って折り返すことにより、折り返した部分を把持して扇ぐことができるうちわが形成される。このうちわは、上記のうちわ兼メガホン用板材の場合と同様に、扇いだ場合に撓むことがない材料を用いて、十分に機能するうちわとして形成することができる。
【００１８】
一方、うちわ兼帽子用板材を帽子として用いる場合には、各板材の接続部を他の板材の他方の端縁に接続させることにより、円錐形状を形成することによって帽子が形成される。このとき、各板材の本体部の折返し用罫線よりも中心側の部分を、折返し用罫線に沿って折り返すことにより、帽子の内側に位置するようにしてもよい。
【００１９】
本発明のうちわ兼メガホン用の板材又はうちわ兼帽子用の板材において、
前記接続部には、該接続部の前記本体部と反対側の端縁から該本体部の方に延びた２つの第１スロットが設けられ、
前記他方の端縁と該端縁に最も近い前記径方向罫線との間の領域である接続領域には、前記第１スロットと協働して前記接続部を該接続領域に接続させるための２つの第２スロットが設けられていてもよい。
【００２０】
これによれば、本体部の他方の側に対する接続部の接続を、簡単な構成で、容易な接続操作により達成することができる。
【００２１】
この場合、前記接続部及び前記接続領域の相互に対応する各位置に、開曲線状の切込線及び該開曲線の両端を結ぶ罫線により画定される舌片が設けられてもよい。
【００２２】
これによれば、接続部を接続領域に接続する際に、一方の舌片を罫線に沿って他方の舌片の方に押し曲げることによって、両者の接続を確実に行うことができる。
【００２３】
また、本発明のうちわ兼メガホン用板材又はうちわ兼帽子用板材において、前記板材は段ボールで形成され、該段ボールの段の方向は、前記本体部の前記中心を通る中心線に垂直であるのが好ましい。
【００２４】
これによれば、軽くて撓むことのないうちわを形成できるとともに、強度の高いメガホン又は帽子を形成することができる。
【図面の簡単な説明】
【００２５】
【図１】図１は、本発明の一実施形態に係るうちわ、メガホン及び帽子兼用の板材の裏面を示す斜視図である。
【図２】図１の板材で形成したうちわを示す斜視図である。
【図３】図３Ａ〜図３Ｃは、図１の板材でメガホンを形成する様子を示す斜視図である。
【図４】図４Ａ〜図４Ｃは、図１のメガホン及び帽子兼用の板材を３枚用いて帽子を形成する様子を示す斜視図である。
【発明を実施するための形態】
【００２６】
以下、図面を用いて本発明の実施形態を説明する。図１は、本発明の一実施形態に係るうちわ、メガホン及び帽子兼用の板材を示す。この板材１は、罫線に沿って折り曲げることが可能な材料で構成されている。このような板材として、段ボールによる板材が好ましく用いられるが、これに限定されない。
【００２７】
図１に示すように、この板材１は、部分円状の本体部２と、本体部２の一方の端縁３ａにフラップ用罫線４を介して隣接し、本体部２の他方の側に接続可能なフラップ状の接続部５とを備える。本体部２は、１８０°よりも小さい中心角θを成す一方の端縁３ａ及び他方の端縁３ｂと、該中心角θに対応する長さを有する外側端縁３ｃとを有する。ただし、中心角θは、３６０°を帽子の形成に使用する板材１の枚数である３で除した値よりも小さい。
【００２８】
本体部２には、複数本の径方向罫線６と、円弧状罫線７と、折返し用罫線８とが設けられる。複数本の径方向罫線６は、本体部２の部分円状の形状の中心Ｐの側から外側端縁３ｃに向かって放射状に延び、本体部２を複数の二等辺三角形状の領域に分割するように形成される。本体部２の中心Ｐ側角部は、適度に丸められている。
【００２９】
円弧状罫線７は、中心Ｐを中心とする円弧状の形状を有し、中心Ｐと外側端縁３ｃとの間の中間位置よりも中心Ｐ側に形成され、一方の端縁３ａから他方の端縁３ｂに至る。折返し用罫線８は、円弧状罫線７よりも中心Ｐ側に形成され、径方向罫線６と交差する。
【００３０】
本実施形態では、折返し用罫線８は、中心Ｐを通る本体部２の中心線Ｃと交差する。そして、本体部２には、折返し用罫線８の両端部から一方の端縁３ａ及び他方の端縁３ｂに至る切込線９が設けられる。フラップ用罫線４は、円弧状罫線７の端部から外側端縁３ｃ側に延びている。
【００３１】
接続部５には、接続部５の本体部２と反対側の端縁３ｄから本体部２の方に延びた２つの第１スロット１０が設けられる。また、他方の端縁３ｂとこれに最も近い径方向罫線６との間の領域であって、かつ円弧状罫線７よりも外側端縁３ｃ側の領域である接続領域１１には、第１スロット１０と協働して接続部５を接続領域１１に接続させるための２つの第２スロット１２が設けられる。
【００３２】
すなわち、接続部５における２つの第１スロット１０の間の領域である第１舌片１５ａと、接続領域１１における２つの第２スロット１２の間の領域である第１舌片１５ｂは、接続部５を接続領域１１に接続する際に相互に重なり合う位置に設けられる。
【００３３】
また、接続部５及び接続領域１１の相互に対応する各位置には、それぞれ開曲線状の切込線１３及び該開曲線の両端を結ぶ罫線１４により画定される第２舌片１６ａ及び１６ｂが設けられる。第２舌片１６ａ及び１６ｂは、接続部５を接続領域１１に接続する際に、一方の第２舌片１６ａ又は１６ｂを罫線１４に沿って他方の第２舌片１６ｂ又は１６ａの方に押し曲げることによって、両者の接続を確実に行うために利用される。
【００３４】
板材１を構成する段ボールの段の方向は、本体部２の中心線Ｃに垂直である。
【００３５】
以上の構成において、板材１をうちわとして使用する場合には、図２のように、本体部２の折返し用罫線８よりも中心Ｐ側の部分を折返し用罫線８に沿って裏面側に折り返すことにより、うちわ１７が形成される。
【００３６】
このうちわ１７は、折返し用罫線８に沿って折り返すことにより形成された折返し部分２０と、これと重なった本体部２の部分とを把持して扇ぐことができる。その際、うちわ１７は、段ボールで形成されているので、軽いことに加え、扇ぐ際にほとんど撓むことがない。
【００３７】
一方、板材１をメガホンとして用いる場合には、図３Ａ、図３Ｂのように、まず、円弧状罫線７に沿った裏面側への折り曲げ及び折返し用罫線８に沿った裏面側への折り曲げを行いながら、各径方向罫線６に沿った裏面側への折り曲げを行うことにより円錐状の形状が形成される。
【００３８】
次に、図３Ｂのように、接続部５を本体部２の一方の側に接続させる。この接続は、第１スロット１０と第２スロット１２との協働により、接続部５の第１舌片１５ａが、接続領域１１の第１舌片１５ｂの上に重なり、かつ接続部５における第１舌片１５ａの両側の領域が接続領域１１における第１舌片１５ｂの両側の領域の下に重なるようにして行われる。
【００３９】
そして、図３Ｃのように、接続部５の第２舌片１６ａが押し下げられ、接続領域１１の第２舌片１６ｂとともに内方に折り曲げられる。これにより、第２舌片１６ａが第２舌片１６ｂの切込線１３と噛み合い、接続部５がより確実に接続領域１１に接続される。これにより、図３Ｃで示されるようなメガホン１８が形成される。このメガホン１８の口元は、折り曲げられた円弧状罫線７によって、滑らかに形成されている。
【００４０】
他方、板材１を帽子として用いる場合には、３枚の板材１が使用される。すなわち、図４Ａ〜図４Ｃのように、各板材１の接続部５を他の板材１の接続領域１１に接続させることにより、円錐形状を形成することによって、図４Ｃで示されるような帽子１９が形成される。
【００４１】
このとき、図４Ｂのように、メガホン１８を形成する場合と同様に、各板材１の接続部５の第１スロット１０と、隣接する板材１の第２スロット１２とが使用される。すなわち、第１スロット１０間の第１舌片１５ａの上に、第２スロット１２間の第１舌片１５ｂが重ねられ、かつ接続部５における第１舌片１５ａの両側の領域が接続領域１１における第１舌片１５ｂの両側の領域の上に重ねられる。
【００４２】
そして、図４Ｃのように、各板材１の接続領域１１の第２舌片１６ｂが押し下げられ、対応する接続部５の第２舌片１６ａとともに内方に折り曲げられる。これにより、第２舌片１６ｂが第２舌片１６ａの切込線１３と噛み合い、各板材１の接続部５がより確実に、隣接する板材１の接続領域１１に接続される。
【００４３】
また、このとき、図４Ｂのように、各板材１の本体部２の折返し用罫線８よりも中心側の折返し部分２０が、帽子１９の内側に位置するように折返し用罫線８に沿って折り曲げられ、さらに、円弧状罫線７に沿った裏面側への折り曲げが行われる。これにより、図４Ｃのような帽子１９が形成される。
【００４４】
以上のように本実施形態によれば、段ボールを用いて板材１を構成したので、扇いだ場合に撓むことがなく、かつ軽いうちわ１７を形成するとともに、強度の高いメガホン１８又は帽子１９を形成することができることができる。
【００４５】
また、うちわ１７は、本体部２の折返し用罫線８に沿って折り返された折返し部分２０とこれに重なった本体部２の部分とを把持して用いることにより、当該重なった部分は他の部分よりも厚く、把持し易いので、良好に把持して扇ぐことができる。
【００４６】
また、図２のように、各罫線６が、折返し部分２０上の部分と、本体部２の折返し部分２０以外の部分とで交差しているので、上記のように把持して用いる場合の、うちわ１７の強度を高めることができる。
【００４７】
また、板材１をそのまま把持してうちわとして使用する場合には、把持している手の指先を支点として板材１が搖動しやすいので、うちわの把持が不安定となり、使用しにくい。この点、本実施形態によれば、折返し部分２０を介してうちわ１７を把持することにより、折返し部分２０の先端部によって、本体部２の外側端縁３ｃにより近く、より風圧が負荷される部分を支持しながら、うちわ１７を把持することができる。これによって、うちわ１７をより安定した姿勢で把持しながら使用することができる。
【００４８】
また、接続部５の第１スロット１０と接続領域１１の第２スロット１２により、メガホン１８又は帽子１９を形成する際の接続部５と接続領域１１との接続を、容易かつ強固に行うことができる。
【００４９】
また、接続部５の第１舌片１５ａ及び第２舌片１６ａと、接続領域１１の第１舌片１５ｂ及び第２舌片１６ｂにより、接続部５と接続領域１１との接続を、より強固に行うことができる。
【００５０】
また、メガホン１８の口元部分が、円弧状罫線７に沿って折り曲げられた部分で形成されるので、使用者の口が痛められることがなく、かつ良好な使用感を得ることができる。
【００５１】
なお、本発明は、上記実施形態に限定されることなく、適宜変形して実施することができる。例えば、板材１は、段ボールに限らず、他の罫線に沿って折り曲げることが可能で、うちわの状態で撓むことがなく、かつ軽い材料で構成してもよい。また、径方向罫線６の数は、図１の５本に限定されることは無く、これより多くても、少なくてもよい。
【００５２】
また、板材１の中心角θや帽子１９を構成する板材１の枚数は、図１で示されるような角度や図４で示される３枚に限定されず、他の角度や枚数であってもよい。
【符号の説明】
【００５３】
１…板材、２…本体部、３ａ…一方の端縁、３ｂ…他方の端縁、４…フラップ用罫線、５…接続部、６…径方向罫線、７…円弧状罫線、８…折返し用罫線、９…切込線、１０…第１スロット、１１…接続領域、１２…第２スロット、１３…切込線、１４…罫線、１５ａ、１５ｂ…第１舌片、１６ａ、１６ｂ…第２舌片、１７…うちわ、１８…メガホン、２０…折返し部分。
【図１】
2020018535.tif 000003
【図２】
2020018535.tif 000004
【図３】
2020018535.tif 000005
【図４】
2020018535.tif 000006